(57)【要約】【課題】子供が楽器を演奏する際に、既存の補助ペダルや市販の踏み台にも使用することができるような楽器演奏時の足置き台用部材を提供する。【解決手段】ペダル１０１とペダル支持部１０２を有する補助ペダル１００の天面部１００ａに着脱自在に載置可能な楽器演奏時の足置き台用部材１であって、略直方体形状の発泡スチロール体２と滑り防止部材３１、３２からなり、発泡スチロール体２の上面部２ａと下面部２ｂに滑り防止部材３１、３２が設けられており、発泡スチロール体２の背面部２ｄには補助ペダル１００のペダル１０１を挿入することが可能なペダル挿入部２ｄ１とペダル１０１を固定することが可能なペダル固定部２ｄ２が設けられている。【選択図】図５
2019164320.tif 000002
【特許請求の範囲】
【請求項１】
ペダルとペダル支持部を有する補助ペダルの天面部に着脱自在に載置可能な楽器演奏時の足置き台用部材であって、略直方体形状の発泡スチロール体と滑り防止部材からなり、当該発泡スチロール体の上面部と下面部には当該滑り防止部材が設けられており、当該発泡スチロール体の背面部には当該補助ペダルのペダルを挿入することが可能なペダル挿入部と当該ペダルを固定することが可能なペダル固定部が設けられていることを特徴とする楽器演奏時の足置き台用部材。
【請求項２】
前記発泡スチロール体の右側面部と左側面部にはそれぞれ板材が設けられており、当該板材の長さはそれぞれ当該発泡スチロール体の右側面部と左側面部の長さと略同じであり、前記滑り防止部材は当該発泡スチロール体の上面部と当該板材の上面部及び当該発泡スチロール体の下面部と当該板材の下面部をそれぞれ略面一に覆うように設けられている請求項１に記載の楽器演奏時の足置き台用部材。
【請求項３】
前記発泡スチロール体の前記ペダル挿入部側の前記下面部及び当該下面部に設けられている前記滑り防止部材には、ペダル支持部を収容することが可能な当該発泡スチロール体の切欠き部及び当該滑り防止部材の切欠き部が設けられている請求項１又は２に記載の楽器演奏時の足置き台用部材。
【請求項４】
前記楽器演奏時の足置き台用部材には、他の楽器演奏時の足置き台用部材と連結可能な連結部を有している請求項１〜３のいずれかに記載の楽器演奏時の足置き台用部材。
【発明の詳細な説明】
【技術分野】
【０００１】本発明は、子供が楽器を演奏する際に使用する楽器演奏時の足置き台用部材に関する。
【背景技術】
【０００２】ピアノは子供用に開発されていないため、まだ体の小さい未就学児や小学校低学年くらいの子供達は、ピアノに合わせるように、体の位置、手の位置、肘の位置、背筋、鍵盤までの距離、足のブラつきなど、種々調整しないと正しい姿勢にはならない。これはピアノ教育界では周知の事実であるにもかかわらず、従来、ピアノ椅子を一番高く調整しても座高の足りない子供達は、ずっと不適切な姿勢で学んでいることが問題となっていた。【０００３】ところで、ピアノには、演奏時に足で操作するペダルがあるが、これらのペダルに足が届かない子供達などを対象として開発されたピアノ補助ペダルがある（特許文献１、特許文献２）。なお、ピアノのペダルの寸法や位置関係が一定であるため、種々の補助ペダルにおいてもそのペダルの寸法や位置関係はほぼ一定である。【０００４】しかしながら、このような補助ペダルや市販の補助ペダルは、一定の高さまでは調整できるものの、背丈が非常に小さい子供達に対しては、補助ペダルにさえも足が着かず、足のブラつきを防止することができない。【０００５】しかも、そもそも、未就学児などではペダルの踏み方よりも、足のブラつきがない状態で、体と鍵盤との距離や、肘と鍵盤との高さや角度などをいかに適切に保って正しい姿勢となるように小さいころから体に覚えこませるかが非常に重要である。【０００６】本発明者も、これまでのピアノ指導の経験から、ピアノ導入期に注目する重要な点として、大人も同様であるが、特に未就学児や小学校低学年くらいの小さい子供達が対象の場合には、「ピアノに対して正しい姿勢にすること」、「正しい手の形と音の出し方を学ぶこと」、「正しい指の関節を支えるくせをつくること」と考えており、その後、「脱力」や「テクニック」を学ぶという順序を辿ることにより上達することを、多くの実績をとおして実証してきている。すなわち、「早くからピアノのレッスンを開始すれば、ピアノは上手になる！」ということは「早くから正しい姿勢で学ぶこと！」ということにある。【０００７】ちなみに、座高が足りない状態で「手首が下がらないように」と注意をすれば、子供は手首を持ち上げるようになり、手首に余計な力が入ることになる。そして、そのまま弾き続けると「音が硬く」なり、次第に手首が痛くなってしまう。しかも、そのまま練習を続けていくと、「脱力」ができなくなってしまうばかりでなく、指が思うように「回らない」こととなり、さらに気合で弾き続けると腱鞘炎などになってしまう可能性もある。【０００８】このような状況から、本発明者は、未就学児から身長１３０ｃｍ未満の座高の低い子供達でも、肘位置を正しく調整し、楽な姿勢を保つことができる補助具として、背付きピアノ椅子用の高さ調整用のクッションを開発した（特許文献３）。【０００９】例えば、背付きピアノ椅子は一定の高さまでであれば座高を調整する機能を有しているものの（図１（ａ）及び図１（ｃ）上図参照）、未就学児や小学校低学年くらいの小さい子供達では最大高さまで着座部を上昇させたとしても肘位置がピアノ鍵盤より低い位置となり正しい姿勢にならない（図１（ｂ）参照）。【００１０】このような場合に、本発明者の開発した高さ調整用クッション（図１（ｃ）の下図参照）を使用することにより、肘が鍵盤に対して平行に位置させることができ、鍵盤に対して肘位置を正しく調整して楽な姿勢を保つことができる（図１（ｄ）参照）。【００１１】しかしながら、このクッションで上半身の姿勢は格段に良くなるものの、足のブラつきまで防止しようとすると、高さ調整用という観点からは、対象者の背丈や座高の高さなどにより、適用範囲が限られることになる。
【先行技術文献】
【特許文献】
【００１２】
【特許文献１】特開２００９−２５８５６１公報
【特許公報２】
特開２００４−３３４１４１公報
【特許文献３】
意願２０１６−０２５４３５公報
【発明の概要】
【発明が解決しようとする課題】
【００１３】本発明は、子供が楽器を演奏する際の足のブラつきを防ぐため、既存の補助ペダルや市販の踏み台にでも使用することができるような楽器演奏時の足置き台用部材を提供するものである。
【課題を解決するための手段】
【００１４】本発明者は、上述したような問題に鑑み鋭意検討した結果、既存の補助ペダルと市販の踏み台の寸法データや構造を比較して両者の共通点を抽出し、しかも市販の発泡スチロールブロックに滑り防止部材としてコルク板などを組み合わせることにより、異音を生じることなく確実に足のブラつきを防止できることを見出し、本発明を完成するに至った。【００１５】すなわち、本発明は、ペダルとペダル支持部を有する補助ペダルの天面部に着脱自在に載置可能な楽器演奏時の足置き台用部材であって、略直方体形状の発泡スチロール体と滑り防止部材からなり、当該発泡スチロール体の上面部と下面部には当該滑り防止部材が設けられており、当該発泡スチロール体の背面部には当該補助ペダルのペダルを挿入することが可能なペダル挿入部と当該ペダルを固定することが可能なペダル固定部が設けられていることを特徴とする楽器演奏時の足置き台用部材を提供するものである。
【発明の効果】
【００１６】本発明の楽器演奏時の足置き台用部材によれば、異音を生じることなく確実に足のブラつきを防止することができ、既存の補助ペダルのみならず市販の軽量かつ安価な踏み台にも使用することが可能となり、未就学児や小学校低学年くらいの小さい子供達でも持ち運びが楽である。さらに、既存の補助ペダル間での兼用や市販の軽量かつ安価な踏み台間での兼用も可能である。しかも、未就学児や小学校低学年以外の者に対しても、当然に使用することができる。【００１７】また、本発明の楽器演奏時の足置き台用部材によれば、未就学児や小学校低学年くらいの小さい子供達が、足のブラつきをなくし上半身を正しい姿勢に保つことができるため、ピアノ、エレクトーン、シンセサイザーなどのペダルを有する鍵盤楽器ばかりでなく、ギター、チェロなどの全く異なる分野の楽器練習用や読書時の姿勢矯正のように全く異なる分野での使用も可能である。
【図面の簡単な説明】
【００１８】
【図１】高さ調整用クッションの使用前後の一例を示した写真。
【図２】市販の代表的な補助ペダルと踏み台の写真。
【図３】本発明による足置き台用部材の一実施形態を示す写真。
【図４】発泡スチロール体の写真。
【図５】補助ペダル上に足置き台用部材を載置した状態を示す写真。
【図６】本発明による足置き台用部材の他の実施形態を示す写真。
【図７】未就学児がピアノ演奏時に補助ペダルを使用している様子を示す模式図。
【図８】未就学児がピアノ演奏時に踏み台を使用している様子を示す模式図。
【発明を実施するための形態】
【００１９】以下、図面を参照しながら本発明を詳細に説明する。図２は、市販されている代表的なピアノ補助ペダル１００と踏み台の写真である。図２（ａ）はピアノ補助ペダル１００を上面から見た写真であり、主として天面部１００ａとペダル１０１を示している。図２（ｂ）は、図２（ａ）のピアノ補助ペダル１００の斜視写真で、ペダル１０１の付け根付近にペダル支持部１０２があることが分かる。図２（ｃ）は他のピアノ補助ペダル１００の斜視写真であるが、上記のピアノ補助ペダル１００と同様に、天面部１００ａとペダル１０１とペダル支持部１０２があることが分かる。なお、上述したようにピアノのペダルの寸法や位置関係が一定であるため、種類の異なる補助ペダル１００においても、ペダル１０１の寸法やペダル支持部１０２の位置関係はほぼ同じである。図２（ｄ）及び図２（ｅ）は単なる市販の踏み台であるので、そのような補助のペダルはない。
【００２０】なお、図２から分かるように、補助ペダルでも踏み台でも、いずれの天面部も平面視略四角形状となっていることが分かるが、これは各社に共通である。さらに、ピアノ演奏時などで足のブラつきを防止する観点からは、平面視略四角形状とすることで足を置いた時の安定性やフィット感や足裏と効果的な接触面積を確保することができるが、この場合の平面視略四角形状の範囲としては、補助ペダルに見られるように、ペダルを支持する側の辺の両側に僅かな傾斜部分を有する六角形状も含まれる。
【００２１】各社から市販されている補助ペダルと踏み台のそれぞれに対する天面部の「幅Ｗ×奥行Ｌ×高さｈ（ｃｍ）」の一覧表を表１に示す。ここで重要なのは天面部の幅と奥行と、接地面から天面部の上面までの高さである。ここで、「幅」と「奥行」とは、図２（ａ）の補助ペダルでは平面視略四角形状における図示中の左右方向の「幅」と上下方向の「奥行」であり、図２（ｄ）の踏み台では図示中の左右方向の「幅」と上下方向の「奥行」である。表１で幅については「天面幅」、奥行については「天面  奥行」としてある。
【００２２】
【表１】
2019164320.tif 000003
【００２３】補助ペダルについては、（株）山一木研社製、（株）甲南社製などの補助ペダルを例示しており、踏み台については、（株）トレードワン社製、（株）ロゴスコーポレーション社製、（株）武田コーポレーション社製などのプラスチック製の折り畳み式踏み台を例示している。なお、折り畳み状態から展開した状態（図２（ｅ）参照）での踏み台の接地面における幅と奥行（表１において「全体幅」と「全体奥行」）はピアノのペダル位置とピアノ椅子との距離を考慮する上では参考データであり、足置き台用部材として重要なのは天面部の寸法である。
【００２４】図３は、本発明の一実施形態である楽器演奏時の足置き台用部材１の写真である。なお、説明に際し楽器演奏時の足置き台用部材１のペダル挿入部２ｄ１とは反対側を正面部２ｃとしているので、図３（ａ）においては、右側面部２ｅは図面の右側となり、左側面部２ｆは図面の左側となっている。図３から分かるように、足置き台用部材１は、主として発泡スチロール体２と滑り防止部材３１と滑り防止部材３２で構成されている。
【００２５】図３（ａ）は、正面部２ｃから見た写真である。発泡スチロール体２の上面部２ａに滑り防止部材３１が設けられており、足置き台用部材１の上面部とされている。また、発泡スチロール体２の下面部２ｂに滑り防止部材３２が設けられており、足置き台用部材１の下面部とされている。この滑り防止部材３１、３２の材質としてはコルク、ゴム、スポンジ、木質材、樹脂、合成皮革など滑り防止効果を奏するものであれば特に制限はないが、軽量化の観点と異音発生防止の観点からはコルク板が好適である。この「異音」については、楽器演奏時に足のブラつきを防止する際に踏ん張るように力が加わったときや、足と足置き台用部材１の上面部とが擦れた際に、発泡スチロール体２の歪や擦れなどにより「キュキュ」という異音が生じることがある。このため、楽器の練習や発表会やコンサートなどで演奏の障害とならないように異音の発生を防止することが好ましい。しかも、コルク板を使用することで、足を踏ん張ったときの力に対する緩衝効果により楽器演奏時でも足に負担がかからない。なお、コルク板の厚さとしては特に制限はないが、滑り防止効果、異音発生防止効果、足の負担軽減の観点、入手のし易さなどからは、１．５ｍｍ〜６ｍｍが好ましく、特に３ｍｍ〜６ｍｍが好ましい。本実施形態においては３ｍｍの厚さのコルク板を使用している。なお、滑り防止材３１は発泡スチロール体２の上面部２ａを全面的に覆うように設ける必要はないが、足を置いた状態や視覚的に綺麗に見える点からは全面に設けることが好ましい。さらに、色調についても特に制限はないが、発表会やコンサートの雰囲気にマッチさせる観点からは、発泡スチロール体２と滑り防止部材３１、３２は黒色系や茶色系であることが好ましい。
【００２６】下面部２ｂに設けられる滑り防止部材３２についても滑り防止部材３１と同様の理由によりコルク板が好適である。なお、後述するようにペダル支持部１０２を収容することが可能となるように、発泡スチロール体２の下面部２ｂに切欠き部２ｂ１を設けると共に、滑り防止部材３２には切欠き部３２１に沿うように溝部６が設けられている。この実施形態においては、３ｍｍのコルク板を重ねて全体厚さを６ｍｍ程度とし、溝部６の深さを３ｍｍ程度としている。ここで、切欠き部２ｂ１の幅寸法については、ペダル支持部１０２を収容可能とする寸法であればよく３０〜５０ｍｍであれば十分である。本実施形態においては３０ｍｍ幅の一対の切欠き部２ｂ１としている。また、滑り防止部材３２の切欠き部３２１については、発泡スチロール体２の切欠き部２ｂ１よりも大きい幅寸法としている。なお、本実施形態ではペダル支持部１０２の付け根部分は天面部１００ａから５ｍｍ程度の高さであるため（図５（ｄ）参照）、切欠き部２ｂ１及び切欠き部３２１の幅寸法を３０〜５０ｍｍとし、滑り防止部材３２の厚さを６ｍｍ程度とすれば、溝部６を形成しなくても滑り防止部材３２と天面部１００ａとを面一構造とすることができる。滑り防止材３２は発泡スチロール体２の下面部２ｂを全面的に覆うように設ける必要はないが、ピアノ補助ペダル１００の天面部１００ａとの設置状態や安定性を考慮すると、略全面に設けることが好ましい。さらに、滑り防止部材３２の色調は上述した理由と同様に黒色系や茶色系とすることが好ましい。
【００２７】なお、ペダル１０１をペダル挿入部２ｄ１に挿入してペダル固定部２ｄ２により固定できるため（図５参照）、発泡スチロール体２の切欠き部２ｂ１及び滑り防止部材３２の切欠き部３２１は特に設けなくても構わない。この場合でも足のブラつきを確実に防止することができると共に異音の発生も防止することができるからである。ただし、視覚的に発表会やコンサートの雰囲気にマッチさせる観点からは、ペダル支持部１０２を隠すことができるため、切欠き部２ｂ１及び切欠き部３２１を設けることが好ましい（図６参照）。
【００２８】滑り防止部材３１の上に足を置いて踏ん張った際に加わる荷重に対する補強の観点や、例えば発表会やコンサートなどで足置き台用部材１を使用する際に発泡スチロール体２そのものが見えるのを防止して見た目に違和感がないようにする観点から、足置き台用部材１の右側面部２ｅと左側面部２ｆには、それぞれ板材４１と板材４２が設けられていることが好ましい。この場合、板材４１及び板材４２の長さ（奥行）は、それぞれ発泡スチロール体２の右側面部２ｅの長さ（奥行）と左側面部２ｆの長さ（奥行）と略同寸法として、発泡スチロール体２の正面部２ｃと背面部２ｄとを面一構造として、外観上違和感なく綺麗に見えるようにしている。
【００２９】さらに、滑り防止部材３１の上に足を置いて踏ん張った際に加わる荷重に対する補強の観点から、板材４１、４２の高さはそれぞれ発泡スチロール体２の右側面部２ｅ及び左側面部２ｆの高さと略同寸法にしてある。また、発泡スチロール体２の上面部２ａに設けられた滑り防止部材３１は、発泡スチロール体２の上面部２ａと板材４１の上面部４１ａと板材４２の上面部４２ａとを略面一に覆うように設けられている。そして、滑り防止部材３１の幅は、発泡スチロール体２の幅と板材４１の厚さと板材４２の厚さとを合計した厚みとなっている。本実施形態においては、発泡スチロール体２の幅を３７０ｍｍ、板材４１及び板材４２の厚さを６ｍｍとしているので、滑り防止部材３１の幅は３８２ｍｍとなっている。
【００３０】板材４１、４２の材質としては特に制限はなく、木質系の板材、ＭＤＦ板（中密度繊維板）、コルク板、樹脂、プラスチック、合成皮革などを使用することができるが、軽量化や補強の観点からは木質系の板材、ＭＤＦ板（中密度繊維板）、厚みのあるコルク板などを使用することが好ましい。なお、後述するように、足置き台用部材１と他の足置き台用部材１とを連結して使用することができるように本実施形態においては左右の板材４１と板材４２の側面に連結部５を設けているが（図３（ｄ）、（ｅ）、（ｆ）、図６（ｂ）、（ｄ）参照）、しっかりと連結部５を固定することができることから、特にＭＤＦ板が好ましい。本実施形態においては、板材４１、４２は厚さ６ｍｍのＭＤＦ板を使用している。色調については上述した理由と同様に黒色系や茶色系とすることが好ましい。
【００３１】なお、板材４１、４２を設けない場合には、発泡スチロールブロックとは異なるようにして発泡スチロール体２の右側面部２ｅ及び左側面部２ｆの形状をフラット面とすることでもよい。この場合は、滑り防止部材３１の幅は、発泡スチロール体２の幅と略同寸法とすればよい。また、色調については上述した理由と同様に黒色系や茶色系とすることが好ましい。
【００３２】図４は、本発明の楽器演奏時の足置き台用部材１に使用することができる発泡スチロール体２の写真である。この発泡スチロール体２としては、例えば、（株）大創産業の製品である発泡スチロール製のブロックや、（株）ジョイフル本田の製品である発泡スチロール製のブロックを好適に使用することができる。
【００３３】表１に示したように、各社から市販されている補助ペダルと踏み台のそれぞれの天面部の「幅Ｗ×奥行Ｌ×高さｈ（ｃｍ）」を考慮した場合、足置き台用部材としての寸法を幅Ｗｐ×奥行Ｌｐ×高さＨｐ（ｃｍ）とすると２５≦Ｗｐ≦４５ｃｍ、１８≦Ｌｐ≦４０ｃｍ、Ｌｐ≦Ｗｐ、Ｈｐ≦１２ｃｍの範囲を目安とし、発泡スチロール体２として幅ｗｅ×奥行ｌｅ×高さｈｅ（ｃｍ）を検討すればよいことが分かる。なお、後述するように、足置き台用部材１同士を連結して使用する場合には上記の関係となるが、一の足置き台用部材１のみの場合には、奥行（Ｌｐ）については１８≦Ｌｐ≦２０ｃｍの範囲を目安として検討すればよいことが分かる。例えば、（株）大創産業の発泡スチロール製のブロックを使用する場合には、３７０ｍｍ（ｗｅ）×１８０ｍｍ（ｌｅ）×９５ｍｍ（ｈｅ）が好適である。また、（株）ジョイフル本田の発泡スチロール製のブロックを使用する場合には、３８５ｍｍ（ｗｅ）×１８５ｍｍ（ｌｅ）×１００ｍｍ（ｈｅ）が好適である。
【００３４】しかも、各社の発泡スチロール体２はブロック形状となっているため、３か所ある中空部分がペダル挿入部２ｄ１としての機能を発現し、中空部分を仕切る２か所の仕切り壁がペダル固定部２ｄ２としての機能を発現する（図４、図５など参照）。なお、発泡スチロール体２はブロック形状でなくてもよく、その場合にはペダル挿入部１を凹部としたり中空部とすることでもよい。また、ペダル固定部２ｄ２は当該凹部と凹部の仕切り壁を利用したり、当該中空部と中空部の仕切り壁を利用することでも構わない。
【００３５】上述したように、ピアノのペダルの寸法や位置関係が一定であるため、種々の補助ペダルにおいてもそのペダルの寸法や位置関係はほぼ一定であるから、各社のピアノ補助ペダル１００のペダル１０１を繰り返し挿入しても、ペダル固定部２ｄ２として機能する仕切り壁は、発泡スチロール特有の復元力によって固定力が安定する。しかもペダル１０１の挿入方向の長さ全体にわたって固定されるため、一層固定力が安定する。
【００３６】これらの構成や機能については、本発明者が既存の補助ペダルと市販の踏み台の寸法データや構造を比較して両者の共通点を抽出し、しかも市販の発泡スチロールブロックに滑り防止部材としてコルク板などを組み合わせて種々検討したことにより、課題解決手段として具現化できたものである。
【００３７】図５は、本実施形態の足置き台用部材１をピアノ補助ペダル１００の天面部１００ａに載置して固定した状態を示す写真である。図５（ａ）は上面部２ａ側から見た写真であるが、発泡スチロール体２のペダル挿入部２ｄ１側の下面部２ｂにはペダル支持部１０２を収容可能な切欠き部２ｂ１を設けておらず、滑り防止部材３２にも切欠き部３２１を設けていない。それにもかかわらず、足置き台用部材１は天面部１００ａ上に着脱自在であって、ペダル固定部２ｄ２によりしっかりと固定され、視覚的にも非常に綺麗に載置されていることが分かる。しかも、発泡スチロール体２と滑り防止部材３１、３２と板材４１、４２を全て黒色系としていることから、発表会やコンサートの雰囲気にもマッチしていることが分かる。このように、足置き台用部材１は単体でも足置き台としての役割を果たす。しかも、表１から分かるように、各社の補助ペダルや踏み台にも適用することができる。なお、踏み台に固定する場合にはバンドやベルトなど適宜の手段を採用し、発泡スチロール体２の中空部分を利用して固定することもできるし、発泡スチロール体２の本体側面に固定部を設けて固定することもできるし、板材４１、４２に固定部を設けて固定することもできる。
【００３８】図６は、他の実施形態として、足置き台用部材１と他の足置き台用部材１とを連結して使用した状態を示す写真である。視覚的に発表会やコンサートの雰囲気にマッチさせる観点から、発砲スチロール体２の正面部２ｃには板材７を設けている。この板材７の材質としては、木質系の板材、ＭＤＦ板（中密度繊維板）、コルク板、樹脂、プラスチック、合成皮革などを使用することができるが、軽量化や補強の観点からは木質系の板材、ＭＤＦ板（中密度繊維板）、コルク板などを使用することが好ましい。なお、板材７については視覚的に発表会やコンサートの雰囲気にマッチさせる観点で設けているため、１．５〜３ｍｍ程度の薄い木質系の板材やコルク板や紙でも構わないが、略同一構造の足置き台用部材１同士を連結する場合には、連結面に一定の弾性力が働いている方がしっかりと連結でき連結状態も維持できるため、３ｍｍ程度のコルク板を使用することが好ましい。また、色調については上述した理由と同様に黒色系や茶色系とすることが好ましい。
【００３９】図６に示す実施形態においては、発泡スチロール板２の右側面部２ｅに設けられた板材４１と、左側面部２ｆに設けられた板材４２のそれぞれ表面側に、連結部５を設けている。この連結部５としては、市販のフックや打掛式の鍵などを使用することができる。そのような場合には、雄部材と雌部材の１組で構成されるので、一方の部材を板材４１に、他方の部材を板材４２に取り付けるなどすればよい。例えば、図６（ｂ）、（ｄ）で分かるように、本実施形態では小型の打掛式の鍵を使用している。ここで、連結状態での一方の足置き台用部材１の右側面部２ｅ側の板材４１に雄部材を設け、他方の足置き台用部材１の右側面部２ｅ側の板材４１に雌部材を設けている。したがって、一方の足置き台用部材１の左側面部２ｆ側の板材４２に雌部材を設け、他方の足置き台用部材１の左側面部２ｆ側の板材４２に雄部材を設けている。
【００４０】なお、連結部５の構造としては蝶番、係止構造、係合構造など種々の構造を採用することもできる。例えば、一組の足置き台用部材１の発泡スチロール体２の上面部２ａ又は下面部２ｂに蝶番を設けて折り畳み可能とすることもできるし、右側面部２ｅ又は左側面部２ｆに蝶番を設けて折り畳み可能とすることもできる。
【００４１】このように、２つの足置き台用部材１、１を連結してピアノ補助ペダル１００に使用すると、天面部１００ａと略同面積で載置できることから安定して足を置くことができ、演奏時や発表会やコンサートで使用する際にも安心して演奏に集中できる。一方、市販の踏み台に適用する場合には、表１からも分かるように、１つの足置き台用部材１を使用することができる。
【００４２】図７に、未就学児が補助ペダルを使用してピアノを演奏する様子を示す。図７（ａ）では、背付きピアノ椅子を最上部まで上昇させても肘の高さがピアノ鍵盤位置よりも低くなっており、かつ、足がブラついている状態が分かる。図７（ｂ）では、上記の状態で本発明者の開発した高さ調整用クッションを適用することにより肘の高さはピアノ鍵盤に略水平状態に保たれることが分かるものの、足のブラつきは解消されていない。図７（ｃ）では、本発明の足置き台用部材を２つ連結して補助ペダルに載置することにより、足のブラつきが解消されることが分かる。
【００４３】図８に、未就学児が踏み台（例えば、高さが３２ｃｍ）を使用してピアノを演奏する様子を示す。図８（ａ）では、背付きピアノ椅子を最上部まで上昇させても肘の高さがピアノ鍵盤位置よりも低くなっており、かつ、足がブラついている状態が分かる。図８（ｂ）では、上記の状態で本発明者の開発した高さ調整用クッションを適用することにより肘の高さはピアノ鍵盤に略水平状態に保たれることが分かるものの、足のブラつきは解消されていない。図８（ｃ）では、本発明の足置き台用部材を１つだけ踏み台に載置することにより、足のブラつきが解消されることが分かる。
【符号の説明】
【００４４】１…足置き台用部材、２…発泡スチロール体、２ｂ１…切欠き部、２ｄ１…ペダル挿入部、２ｄ２…ペダル固定部、３、３１、３２…滑り防止部材、３２１…切欠き部、４、４１、４２…板材、５…連結部、６…溝部、１００…ピアノ補助ペダル、１００ａ…天面部、１０１…ペダル、１０２…ペダル支持部
【図１】
2019164320.tif 000004
【図２】
2019164320.tif 000005
【図３】
2019164320.tif 000006
【図４】
2019164320.tif 000007
【図５】
2019164320.tif 000008
【図６】
2019164320.tif 000009
【図７】
2019164320.tif 000010
【図８】
2019164320.tif 000011
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
ペダルとペダル支持部を有する補助ペダルの天面部に着脱自在に載置可能な楽器演奏時の足置き台用部材であって、略直方体形状の発泡スチロール体と滑り防止部材からなり、当該発泡スチロール体の上面部と下面部には当該滑り防止部材が設けられており、当該発泡スチロール体の背面部には当該補助ペダルのペダルと対応する位置にペダル挿入部が設けられており、当該ペダル挿入部には当該ペダルを固定するペダル固定部が設けられており、当該発泡スチロール体の当該ペダル挿入部側の当該下面部及び当該下面部に設けられている当該滑り防止部材には、当該ペダル支持部と対応する位置にそれぞれ当該ペダル支持部を収容する当該発泡スチロール体の切欠き部及び当該滑り防止部材の切欠き部が設けられていることを特徴とする楽器演奏時の足置き台用部材。
【請求項２】
前記発泡スチロール体の右側面部と左側面部にはそれぞれ板材が設けられており、当該板材の長さはそれぞれ当該発泡スチロール体の右側面部と左側面部の長さと略同じであり、前記滑り防止部材は当該発泡スチロール体の上面部と当該板材の上面部及び当該発泡スチロール体の下面部と当該板材の下面部をそれぞれ略面一に覆うように設けられている請求項１に記載の楽器演奏時の足置き台用部材。
【請求項３】
前記楽器演奏時の足置き台用部材には、他の楽器演奏時の足置き台用部材を連結する連結部材が設けられている請求項１又は２に記載の楽器演奏時の足置き台用部材。
【手続補正２】
【補正対象書類名】明細書
【補正対象項目名】００１５
【補正方法】変更
【補正の内容】
【００１５】すなわち、本発明は、ペダルとペダル支持部を有する補助ペダルの天面部に着脱自在に載置可能な楽器演奏時の足置き台用部材であって、略直方体形状の発泡スチロール体と滑り防止部材からなり、当該発泡スチロール体の上面部と下面部には当該滑り防止部材が設けられており、当該発泡スチロール体の背面部には当該補助ペダルのペダルと対応する位置にペダル挿入部が設けられており、当該ペダル挿入部には当該ペダルを固定するペダル固定部が設けられており、当該発泡スチロール体の当該ペダル挿入部側の当該下面部及び当該下面部に設けられている当該滑り防止部材には、当該ペダル支持部と対応する位置にそれぞれ当該ペダル支持部を収容する当該発泡スチロール体の切欠き部及び当該滑り防止部材の切欠き部が設けられていることを特徴とする楽器演奏時の足置き台用部材を提供するものである。
【手続補正３】
【補正対象書類名】明細書
【補正対象項目名】００３０
【補正方法】変更
【補正の内容】
【００３０】板材４１、４２の材質としては特に制限はなく、木質系の板材、ＭＤＦ板（中密度繊維板）、コルク板、樹脂、プラスチック、合成皮革などを使用することができるが、軽量化や補強の観点からは木質系の板材、ＭＤＦ板（中密度繊維板）、厚みのあるコルク板などを使用することが好ましい。なお、後述するように、足置き台用部材１と他の足置き台用部材１とを連結して使用することができるように本実施形態においては左右の板材４１と板材４２の側面に連結部材５を設けているが（図３（ｄ）、（ｅ）、（ｆ）、図６（ｂ）、（ｄ）参照）、しっかりと連結部材５を固定することができることから、特にＭＤＦ板が好ましい。本実施形態においては、板材４１、４２は厚さ６ｍｍのＭＤＦ板を使用している。色調については上述した理由と同様に黒色系や茶色系とすることが好ましい。
【手続補正４】
【補正対象書類名】明細書
【補正対象項目名】００３９
【補正方法】変更
【補正の内容】
【００３９】図６に示す実施形態においては、発泡スチロール板２の右側面部２ｅに設けられた板材４１と、左側面部２ｆに設けられた板材４２のそれぞれ表面側に、連結部材５を設けている。この連結部材５としては、市販のフックや打掛式の鍵などを使用することができる。そのような場合には、雄部材と雌部材の１組で構成されるので、一方の部材を板材４１に、他方の部材を板材４２に取り付けるなどすればよい。例えば、図６（ｂ）、（ｄ）で分かるように、本実施形態では小型の打掛式の鍵を使用している。ここで、連結状態での一方の足置き台用部材１の右側面部２ｅ側の板材４１に雄部材を設け、他方の足置き台用部材１の右側面部２ｅ側の板材４１に雌部材を設けている。したがって、一方の足置き台用部材１の左側面部２ｆ側の板材４２に雌部材を設け、他方の足置き台用部材１の左側面部２ｆ側の板材４２に雄部材を設けている。
【手続補正５】
【補正対象書類名】明細書
【補正対象項目名】００４０
【補正方法】変更
【補正の内容】
【００４０】なお、連結部材５の構造としては蝶番、係止構造、係合構造など種々の構造を採用することもできる。例えば、一組の足置き台用部材１の発泡スチロール体２の上面部２ａ又は下面部２ｂに蝶番を設けて折り畳み可能とすることもできるし、右側面部２ｅ又は左側面部２ｆに蝶番を設けて折り畳み可能とすることもできる。
【手続補正６】
【補正対象書類名】明細書
【補正対象項目名】００４４
【補正方法】変更
【補正の内容】
【００４４】１・・・足置き台用部材、２・・・発泡スチロール体、２ｂ１・・・切欠き部、２ｄ１・・・ペダル挿入部、２ｄ２・・・ペダル固定部、３、３１、３２・・・滑り防止部材、３２１・・・切欠き部、４、４１、４２・・・板材、５・・・連結部材、６・・・溝部、１００・・・ピアノ補助ペダル、１００ａ・・・天面部、１０１・・・ペダル、１０２・・・ペダル支持部